Podtech/llm-jp-corpus-v4-ja_patent huggingface dataset:
(57)【要約】      （修正有）【課題】においが強いアミエビをカクハン機にかけてドリップ状にし、これに沖アミや集魚剤を入れた撒き餌とする。【解決手段】海には、上潮と底潮があり、色々な複雑な潮の動きがあるが、沖アミとドリップ状にしたアミエビからなる撒き餌は、海面に投入した時、沖アミ２は比重が重いので海底に沈んでいくが、ドリップ状にしたアミエビ１は液状なので、上潮に乗って流れていく。このため集まったエサ盗りも、撒き餌を投入した場所から潮に乗って遠ざかり、本命のメジナやクロダイが釣れやすくなる。【選択図】図２
2012135298.tif 000002
【特許請求の範囲】
【請求項１】
アミエビ、沖アミなどのアミ類をカクハン機にかけてドリップ状にし、それを冷凍して固めた魚釣り用の冷凍撒き餌。
【請求項２】
アミエビ、沖アミなどのアミ類をカクハン機にかけてドリップ状にし、それに沖アミを加えて冷凍した冷凍撒き餌。 
【請求項３】
請求項１または請求項２の冷凍撒き餌において、冷凍する前に集魚剤を加えて冷凍した冷凍撒き餌。
【請求項４】
請求項１〜３のいずれか１項の冷凍撒き餌において、冷凍する前に膨化米、膨化麦などの膨化穀物を加えて冷凍した冷凍撒き餌。
【請求項５】
アミエビ、沖アミなどのアミ類をカクハン機にかけてドリップ状にし、その液状物が粘土状になるまで、ぬか、小麦粉を加え、さらに貝殻やウニガラの粉砕物を混ぜて練り込み、円柱状に形成して冷凍した冷凍撒き餌。
【発明の詳細な説明】
【技術分野】
【０００１】
本発明は、魚釣り用の冷凍撒き餌に関する。
【背景技術】
【０００２】
メジナ、クロダイなどを釣る海のウキ釣りは、冷凍アミエビ、冷凍沖アミ、冷凍ボイル沖アミなどの冷凍撒き餌を解凍し、これに集魚剤なる粉物を混ぜて作った「撒き餌」を使い魚を呼び寄せ、針に刺したツケエサを食わせて釣るものである。
ここで沖アミは３〜５ｃｍくらいの大きさであり、メジナ、クロダイなどの口に合う大きさであるが、アミエビは１ｃｍ前後の大きさであり、においが強く、集魚力があるので、沖アミと併用する。
【発明の概要】
【発明が解決しようとする課題】
【０００３】
ところがこのアミエビは、俗に「エサ盗り」というアジゴ、スズメダイなどの釣りたくない小魚達の口に合う大きさなので、これらのエサ盗りが多量に集まり、ツケエサを取られるのが難点であった。
これらのエサ盗りを避けて、メジナ、クロダイなどの本命の魚を釣ることが難しかったのである。
【課題を解決するための手段】
【０００４】
そこで、においが強いアミエビをカクハン機にかけて、ドリップ状にする方法を発明した。
海には、上潮と底潮があり、色々な複雑な潮の動きがある。沖アミとドリップ状にしたアミエビからなる撒き餌は、海面に投入した時、沖アミは比重が重いので海底に沈んでいくが、ドリップ状にしたアミエビは液状なので、上潮に乗って流れていく。
このため集まったエサ盗りも、撒き餌を投入した場所から潮に乗って遠ざかり、本命のメジナやクロダイが釣れやすくなるのである。
【発明の効果】
【０００５】
即ち、本来の魚は底の方におり、エサ盗りの口に合うアミエビはドリップ状なので、固体として底に沈んでいかず、海面に漂ううちに上潮に乗って流れていく。
従って、エサ盗りも海面と海底間を上下運動することなく、ドリップ状の液状物を追って移動することになり、これによって、海底付近にいるメジナやクロダイが釣れやすくなるのである。
このように、本発明の撒き餌を用いれば、エサ盗りと本命の分離が容易に可能となる。
【０００６】
またドリップ状のアミエビは、沖アミや粉物のつなぎとしての役割もある。アミエビを入れることによって、沖アミや粉物にからみやすくなり、撒き餌を遠くにとばすことができるが、アミエビを潰すことにより、集魚効果はもちろん、つなぎとしての効果も大幅に向上する。 
【０００７】
ここで述べたドリップ状というのは、アミエビだけでなく、沖アミやボイル沖アミもドリップ状にしていいのである。これによって、今まで廃棄していたアミエビ、沖アミ、ボイル沖アミなどの冷凍アミ類を小分けするときに生じる切りカスが再利用できることにもなる。
【図面の簡単な説明】
【０００８】
【図１】アミ類を攪拌してドリップ状にし、冷凍した冷凍撒き餌。
【図２】ドリップ状の液状物に沖アミを加えて冷凍した冷凍撒き餌。
【図３】円柱状に形成した冷凍撒き餌。
【発明を実施するための形態】
【０００９】
においが強いアミエビ、あるいは沖アミやボイル沖アミも入れてカクハン機にかけて、ドリップ状にする。このドリップ状にしたものを縦２７ｃｍ、横１６ｃｍ、奥行き９ｃｍのブロック状に再度冷凍して固め、冷凍撒き餌とする。
この冷凍撒き餌と、冷凍沖アミ、冷凍ボイル沖アミを解凍したものと一緒に使う。これらに粉物である集魚剤を混ぜて、撒き餌とする。 
【００１０】
あるいは再度冷凍する前に、沖アミや集魚剤を混ぜてから冷凍してもよい。
また、膨化米、膨化麦などの膨化穀物を加えると、これらがアミ類のエキスを吸収し、エサ盗りの口にも合い、比重が軽いのでなかなか底の方には沈んでいかず、更に効果が大きい。
【００１１】
上記のカクハン機にかけたアミ類のドリップ状の液状物が粘土状になるまで、ぬか、小麦粉を加え、さらに錘として貝殻やウニガラの粉砕物を混ぜて練り込み、直径４，５ｃｍ、長さ２５ｃｍの円柱状に形成して冷凍撒き餌としてもよい。  使うときは、解凍してちぎってダンゴにして使う。即ちこのダンゴを、釣り人が自分で手で練りこんでゴルフボールから野球ボールくらいの太さに丸めて、エサ（沖アミ）のついた針を包んでダンゴにして海に投入する。するとダンゴが割れてエサが出る。それで魚を釣る釣り方である。
【符号の説明】
【００１２】
１  アミ類を攪拌してドリップ状にした液状物
２  沖アミ
３  ドリップ状のものにぬかや小麦粉を加え、粘土状にしたもの
４  貝殻
５  ウニガラ
【図１】
2012135298.tif 000003
【図２】
2012135298.tif 000004
【図３】
2012135298.tif 000005
(57)【要約】      （修正有）【課題】糖尿病でインスリン注射を行っている人が、既に注射した事を忘れ、誤って２回の注射を食前に行うことを阻止するインスリン注射器を提供する。【解決手段】注入ボタンに、電池（又は、圧電素子）、コンデンサー（蓄電素子）、ＬＥＤ（発光素子）等の回路部品が組み込まれてあり、注射する際に親指でインスリン注入ボタンを押すことにより、組み込まれたＬＥＤが一定時間点灯表示し、既に注射済である事を判断できる構成とする。【選択図】図１
2012135594.tif 000002
【特許請求の範囲】
【請求項１】
インスリンを注入する際に使用するインスリンの注入ボタン等に組み込んだ電池（又は、圧電素子）、コンデンサー（蓄電素子）、ＬＥＤ（発光素子）等の回路部品により、注射する行為で注射器に組込まれたＬＥＤが一定時間点灯表示する機能を有するインスリン注射器
【請求項２】
インスリンを注射する注入行為で、インスリンを体内に注入すると同時に圧電素子により、発電した電力をコンデンサーとＬＥＤへ給電し、一定時間ＬＥＤを発光表示する事ができるペン型インスリン注入器。
【請求項３】
電池又は、圧電素子とＬＥＤ・コンデンサーにより一定時間ＬＥＤを発光させるタイマー表示器。
【発明の詳細な説明】
【技術分野】
【０００１】この発明はインスリン注入器に関するものである。
【背景技術】
【０００２】本発明は、糖尿病の治療で食前にインスリン注射をする際、既に注射したことを忘れ、間違ってインスリン注射を２回行った場合、低血糖症状を起こし意識不明や最悪は生命に係る事態にも成り得る事を事前防止するために発明したものである。
【発明の概要】
【発明が解決しようとする課題】
【０００３】糖尿病の治療でインスリン注射を必要としている人にとって最も重要な課題は、食前に誤って２回のインスリン注射を行うことである。
つまり、食事を採る段階で既にインスリンを注射済か否かで迷い、２回目の誤注射を行う事である。
２回目の注射を阻止するには、インスリン注射を行った行為で、注射器に一定時間注射済の表示ができる注射器の開発が課題である。尚、一定時間とは注射してから食事を摂取するまでの時間を指す。
【課題を解決するための手段】
【０００４】以上の課題を解決する手段について、図１のペン型インスリン注射器の使用状態図で説明する。インスリン注射器の使用方法は、親指でインスリン注入ボタン（１）を押すことにより、規定量のインスリンを注入する。しかし注入した行為の記録が残らない為、改めて注射済か否かで迷うことが発生する。本発明はこの注入した行為を記録として残すため、注入ボタン（１）を押す動作で一定時間発光表示する機能をインスリン注射器に付加する方式で解決するものである。
【発明の効果】
【０００５】上記課題の項で述べてある様に、誤った２回の注射は規定量２倍のインスリンが体内に注入される事になる。これにより低血糖状態となり意識不明や最悪生命に係る重大な事故につながるが、注入行為で注入済である認識表示が注射器ついていれば既に注射済である事が判別できるので、上記課題を解消できる効果がある。
【図面の簡単な説明】
【０００６】
【図１】図１は、ペン型インスリン注射器の注入ボタン発光部の構造図で、注射器の使用状態図と注射器の注入ボタン兼押しボタンスイッチ部（Ａ）の詳細拡大図を示す。拡大図の（１）はペン型インスリン注射器の注入ボタン兼押しボタンスイッチ、（２）はＬＥＤ発光素子、（３）はコンデンサー、（４）は電池、（５）はインスリン注入量の表示部、（６）は押しボタンスイッチ部の接点ギャップ（ｇ）を確保するための押しボタンスイッチ持ち上げスプリングを示す。
【図２】図２は、インスリン注入器に於けるＬＥＤ発光表示回路図の一例を示し、（１）は押しボタンスイッチ、（２）はＬＥＤ（発光ダイオード），（３）はコンデンサー（蓄電素子）、（４）は電池を示す。
【図３】図３は、ＬＥＤ発光関連部品の動作チャート図を示す。本図で（１）は押しボタンの動作、（２）はＬＥＤの点灯時間，（３）はコンデンサー蓄電量の変化を表している。尚、横軸は経過時間（ｔ）を表している。
【発明を実施するための形態】
【０００７】この発明の実施形態を図２、図３で説明する。
図２の回路図において、（２）（３）（４）の部品は並列に電気接続されており、（１）の注入ボタン兼押しボタンスイッチをＯＮにすることにより、（４）の電池から（２）のＬＥＤが発光すると同時に（３）のコンデンサーに蓄電される。（１）のスイッチが解除（ＯＦＦ）されてもコンデンサーの蓄積電力容量がなくなるまでＬＥＤは点灯を継続する。
図３は、上記図２の各回路部品の動作とタイミングを時間軸で図示した動作チャート図である
尚、図１・図２・図３で付与してある符号は同一品名を表す。
【図１】
2012135594.tif 000003
【図２】
2012135594.tif 000004
【図３】
2012135594.tif 000005
(57)【要約】      （修正有）【課題】特に暑い季節靴の中は足から汗が出て不快さを覚えるが、これを解消する靴は少なかった。【解決手段】靴甲部やかかと付近など、足の汗の出易い箇所付近にマジックテープ2が付いた紐状の帯やスリット、その下にマジックテープ2が付いたメッシュ生地4、ファスナー14などを設けた靴を使用することにより、直接外気に触れさせ汗を水蒸気の形で外に放出することで不快さを解消し水虫の発生を抑えたり、エアコンの冷風や暖房の暖気を素早く靴の中に取り入れて足先を快適な状態にすることができる。また、マジックテープが付いた紐状の帯の脱着は簡単にでき、その帯でスリットを塞いだ時はある程度の保温防水効果を得ることができる。さらに、そのマジックテープが付いた紐状の帯の色を靴と同系色にしたり、全く異なる色のものにしてワンポイントデザインを楽しむことができる。【選択図】図１
2012135595.tif 000002
【特許請求の範囲】
【請求項１】
靴甲部に幅数ミリのスリットを入れ、その下部にマジックテープを設けたナイロン製のメッシュ生地又は数個の孔とマジックテープを設けた皮革生地などをを貼り付ける。
上記靴甲部のスリットと同じ程度の大きさの上部は靴の甲部と同質の皮革で下部にマジックテープ（または孔のあるボタンが）付いた紐状の帯を用意する。（Ａ帯）
上記Ａ帯をスリットに押し込んだときに、そのマジックテープ又はボタンが下部にあるナイロン製のメッシュ生地又は幅数ミリ程度の孔のあいた皮革生地と結合する位置にマジックテープ（又はボタン）を装着した靴などの履物。
さらに、靴甲部に同様のスリットを入れ、その部分にファスナーをその下にナイロン製のメッシュ生地又は幅数ミリ程度の孔のあいた皮革生地を装着した靴などの履物。
また、靴かかと部分の半分程度にスリットを入れ、割れた部分に上記同様にマジックテープ付きの帯やファスナーを装着した靴。
【発明の詳細な説明】
【技術分野】
【０００１】  本発明は、靴にスリットを入れその周辺にマジックテープ・ボタン・ファスナーを装着し、通気性の改善を図ったものである。
【背景技術】
【０００２】  従来は、通気性の改善を図った靴は少なかった。
【発明の開示】
【発明が解決しようとする課題】
【０００３】  夏の暑い時期など、従来の靴などでは空気の流れが悪く汗が噴出し靴の中が蒸れ、それが水虫が発生する原因となるという難点があった。本発明はこの課題を解決するためになされたもので＋ある。
【課題を解決するための手段】
【０００４】  図１Ａの示したとおり、３の幅数ミリのスリットがありその下部に２のマジックテープを貼り付けた３のナイロン製のメッシュ生地を設けた靴甲部に、１の幅数ミリの下部にマジックテープを装着した紐状の帯を押し込み図１Ｃのようにスリットを塞ぐことにより空気の出入りを遮断する。
この帯は簡単に引き剥がすことができ、このことにより靴の中に空気の出入りが可能となる。（図１Ａ参照。）
図１Ｂの示したとおり、８の幅数ミリのスリットの下部に９の皮革生地に数個の孔とマジックテープを（又は数個の孔のあるボタン）装着した靴甲部に、６の幅数ミリの下部にマジックテープ（又は数個のボタン）を装着した紐状の帯を押し込み図１Ｃのようにスリットを塞ぐことにより空気の出入りを遮断する。
この帯は簡単に引き剥がすことができ、このことにより靴の中に空気の出入りが可能となる。（図１Ｂ参照）【０００５】  図１Ｅの示したとおり靴のかかと部分にスリットを入れ、一方のスリット近くに皮革などでできた帯を固定する。他方のスリット近くにマジックテープを２箇所設け固定し、それに対応した帯の場所にマジックテープを２箇所設け固定する。帯の２箇所のマジックテープで靴の２箇所のマジックテープと結合させスリット塞ぎ、マジックテープ剥がすことによりスリットを開ける。【０００６】  図１Ｆの示したとおり靴のかかと部分にファスナーを設け、その開閉によりスリットの開閉を行う。
【発明の効果】
【０００７】  本発明により靴の甲部あるいはかかと部分にスリットを入れ、紐状の帯、マジックテープ付きの帯、ファスナーを利用し、その脱着開け閉めにより外気などを靴の中に出入りさせ、蒸れの解消や水虫防止あるいは履き易い防水保温効果のある靴となります。
【発明を実施するための最良の形態】
【０００８】  以下、本発明の実施の形態を図１において説明する。【０００９】  図１−Ａ・Ｂは靴甲部に装着した紐状の帯を外した時の状態。
図１−Ｃは紐状の帯のマジックテープで靴甲部に押し込み取り付けた時の状態。
図１−Ｄは靴甲部にファスナーを設けた時を示した図。
図１−Ｅ・Ｆは靴かかと部分に、２箇所にマジックテープがある帯を外した時と帯を靴に固定した時（ファスナーを装着し、それを上げた時と下げた時。）を示した図。
【図面の簡単な説明】
【００１０】
【図１】Ａ  本件発明である下部にマジックテープを付けた紐状の帯と甲部にそれと適合するスリットがあり、その下部にマジックテープを付けたナイロン製のメッシュ生地を設けた靴。Ｂ  本件発明である下部にマジックテープ（またはボタン）を付けた紐状の帯と甲部にそれと適合するスリットがあり、その下部にマジックテープと数個の孔のある皮革を設けた靴。Ｃ  上記Ａ・Ｂの紐状の帯をスリットに押し込み、スリットをふさいだ時の状態。Ｄ  スリットの代わりに甲部にファスナーを取り付けたときの状態。Ｅ  靴のかかと部分にスリットを入れ、２個のマジックテープを付けた帯を設けた状態とその帯を靴のマジックテープとを結合させた時の状態。Ｆ  靴のかかと部分にスリットを入れ、ファスナーを取り付け開閉の状態。
【符号の説明】
【００１１】  １  紐状の帯
２  マジックテープ
３  スリット
４  ナイロン製メッシュ生地
５  靴本体
６  紐状の帯
７  マジックテープ（またはボタン）
８  スリット
９  皮
１０  孔（のあるボタン）
１１  靴本体
１２  紐状の帯
１３  靴本体
１４  ファスナー
１５  靴本体
１６  マジックテープ
１７  スリット
１８  マジックテープ付き帯
１９  かかと部分
２０  スリット
２１  ファスナー
２２  かかと部分
【図１】
2012135595.tif 000003
(57)【要約】      （修正有）【課題】椅子に坐って椅子の背を後傾すると、背は後傾して、下肢の座及び足の座は斜め前方に突出して、寛ろいで坐れ、さらにその上体を仰臥すると、上肢の座、下肢の座及び足の座は水平に展開して仰臥でき、その仰臥した上体を起こすと背、上肢の座、下肢の座及び足の座は後傾前の様に復元する椅子を軽量・簡単な構造にする。【解決手段】椅子に坐って背６を後傾すると、上肢の座９は前上方に傾動し、下肢の座１０と足の座１１は背の部材５の延長部４から前方に突設した横支材１２に押されて上傾する拘束リンクと、台座１、低い台２、高い台３上の背６、上肢の座９の後部、上肢の座を斜支する部材１３でなす拘束リンクを組み合わせる。【選択図】図１ａ
2012135590.tif 000002
【特許請求の範囲】
【請求項１】
台坐１上の前部に低い台２、後部に高い台３の上方に突設していて、その高い台３上に、下方に延長部４を設けた背の部材５の背６部と上肢の座６の蝶着部７から上に離れた位置８を蝶着し、その上肢の座の前縁に下肢の座が蝶着され、下肢座の下辺に足の座が、足の座の後部を下肢の座１０の下部に重ねて軸着され、上肢の座の中間は、低い台２上に蝶着して斜上した部材１３（以下斜支材という。）の先端に支えられ、下肢の座の中間は、背の下方延長部の先端に蝶着して前方に突設した部材１２の尖端に蝶着された椅子。
【請求項２】
台座の下面にキャスタ１１を装備した請求項１の椅子。
【発明の詳細な説明】
【技術分野】
【０００１】  本発明は、仰臥できる椅子に関するものである。
【背景技術】
【０００２】  個人用の仰臥できる椅子は探せなかったので、図２及び図３の事業用の仰臥できる椅子の一例について説明する。
台座５１上の後部に背を支える基台５２を立設し、前部にアクチュエータ５０を蝶着して立設し、そのアクチュエータ５０の上端に上肢の座５４の後部が蝶着され、その上肢の座５４の後部に起立板５４ｂが立設されている。【０００３】  基台５２上に椅子の背５３の下部が蝶着されていて、その下部に起立板５３ｂが形設されていて、その起立板５３ｂと上肢の座の起立板５４ｂとは蝶着され、アクチュエータ５０が伸長すると図３に示すように、上肢の座５４が上昇して、背５３が後傾するとともに、基台５２の下部とアクチュエータ５０とを連結しているＣ形の部材５８の前部が上傾して、Ｃ形の部材５８と下肢の座５５を連結している部材６０を押し上げて下肢の座５５を上傾する。以上の構造で、家庭用には大掛かりな椅子であった。
【先行技術文献】
【０００４】
【特許文献１】  特開２０１０−１４８７９２号公報
【発明の概要】
【発明が解決としようとする課題】
【０００５】  背を後傾する椅子の構造を単純・軽量な構造にして、家庭での安息、介護に利用しやすくする。
【課題を解決するための手段】
【０００６】  図１ａは、本発明の椅子の背６が起立状態のときの側面図である。
台坐１上の前部に低い台２、後部に高い台３の上方に突設していて、その高い台３上に、下方に延長部４を設けた背の部材５の背６部と上肢の座６の蝶着部７から上に離れた位置８を蝶着し、その上肢の座の前縁に下肢の座が蝶着され、下肢座の下辺に足の座が、足の座の後部を下肢の座の後部に重ねて、軸着していて、
【０００７】  上肢の座の中間は、低い台２上に蝶着して斜上した部材１３（以下斜支材という。）の先端に支えられ、下肢の座の中間は、背の下方延長部の先端に蝶着して前方に突設した部材１２（以下横肢材という）の尖端に蝶着されたものである。
【発明の効果】
【０００８】  椅子に坐った人が背を後傾すると、背と高い台との蝶着部を支点として腰から下を押すことになるとともに、体の重心を高い台で支えて後傾することになるから、他の力を借りずに背を容易に後傾することができ、このとき上肢の座は斜支する部材に支えられ、下肢の座は背の延長部から前方に突設した、部材に押されて足の座ととも斜上し、さらに上謡を仰臥すると、椅子の背、上肢の座、下肢の座及び足の座は水平に展開し、椅子に坐っていた人は仰臥することができる。
【０００９】  前記の仰臥したいとが上体を起こすと、上体の体重は背と上支のざの長蝶着部に掛かって椅子の背を押し上げる力が働いて、容易に上体を起こすことができる。そのまま上体を容易に起こして坐ることができる。
【００１０】  この椅子は、椅子に座って上体を後傾すると、上肢の座０、下肢の座０と、背の下方の延長部と下肢の座の中間を連結した部材でなす４節リンクと、背が後傾し、下肢の座と足の座が上傾でし、
背の台と背の蝶着部と背と上肢の蝶着部間、上肢の中間と斜支する部材でなす４節リンクを組み合わせたわかりやすい構造の椅子で  家庭用、高齢者の安息用、介護用である。
【発明の効果】
【００１１】  本発明は、従来アクチュエータを操作したり、または椅子を動かす機構を介して椅子を寝かせたり、起こしたりしていたが、本発明の椅子は椅子に坐った体の上体を後傾すると椅子の背は容易に後傾して、下肢の坐及び足の座は上傾し、上体を起こすと椅子の背は立ち、下肢の坐及び足の座は下方に戻り、上体を前後に揺らすと、背は前後に揺れ、上肢の座は前後に揺動し、下肢の坐及び足の座は前後に傾動する。
【００１２】  また、背を半ば後傾して、上体を前後に揺らすと背と上肢の座の蝶着部を軸に前後に揺らすことができる。
【００１３】  本発明の椅子は簡単・軽量な構造で、上体を後傾するだけで椅子の背は後傾し、下肢の座及び足の座に足を伸ばして寛ぐことができ、さらに背を後傾して仰臥すると、椅子は背、上肢の座、下肢の座、足の座は水平に展開して、水平に展開した椅子に仰臥して休むことができ、仰臥した上体を起こすと椅子は、たやすく上体を後傾する前のように復元する。本発明の椅子は、このように上体の簡単な動きだけで操作できる軽量簡易なリンク構造の椅子である。
【実施例１】  図１ａ、図１ｂ図及び図１ｃは、台座と足の座の前部にキャスター１４及び１５を取り付けた家庭用の椅子である。
【実施例２】  図１ｄは後輪にブレーキつきの車輪を取り付けた介護用の椅子である。
復帰するための機構及びアクチュエータを排したにして、高齢者の安息用、普及できる椅子である。
【図面の簡単な説明】
【００１４】
【図１ａ】  背が起立状態のときの椅子の側面図
【図１ｂ】  背を上傾しているときの椅子の側面図
【図１ｃ】  仰臥時の椅子の側面図
【図２】  背が起立状態のときの従来の椅子の側面図
【図３】  背を上傾しているときの従来の椅子の側面図
【符号の説明】
【００１５】１  台座
２  低い台
３  高い台
４  背の延長部
５  背の部材
６  背
７  背と上肢の座の蝶着部
８  背と高い台の蝶着部
９  上肢の座
１０  下肢の座
１１  足の座
１２  横支材
１３  斜支材
１４  キャスター
１５  キャスター
５０  アクチュエータ
５１  台座
５２  基台
５３  背
５３ｂ  背の起立板
５４  上肢の座
５４ｂ  上肢の座の起立板
５５  下肢の座
５６  足の座
５８  Ｃ型の部材
６０  Ｃ形の部材と下肢の座を連結している部材
【図１ａ】
2012135590.tif 000003
【図１ｂ】
2012135590.tif 000004
【図１ｃ】
2012135590.tif 000005
【図２】
2012135590.tif 000006
【図３】
2012135590.tif 000007
(57)【要約】【課題】寿命を大幅に伸ばすことが可能な電源装置を提供する。【解決手段】入力雑音防止回路１１のラインフィルタＬ１およびコンデンサＣ１を、上流から下流に向かってラインフィルタＬ１、コンデンサＣ１の順に接続した。位相制御調光器ＬＣによって位相制御を行う場合、特に、位相角９０度においては、商用電源ＡＣの毎サイクルの度に、電源電圧が急激に立ち上がる。ここで、ラインフィルタＬ１には、電流を減少させる減流作用があるため、コンデンサＣ１へ流れるパルス電流は、減少される。これにより、コンデンサＣ１の寿命が大幅に長くなり、ひいては電源装置１０の寿命が大幅に長くなる。【選択図】図１
2012135084.tif 000002
【特許請求の範囲】
【請求項１】
入力雑音防止回路のラインフィルタおよびコンデンサを、上流から下流に向かってラインフィルタ、コンデンサの順に接続した電源装置。
【請求項２】
入力雑音防止回路の構成要素として、ラインフィルタまたはインダクタンスを用いるとともに、コンデンサを省略した電源装置。
【発明の詳細な説明】
【技術分野】
【０００１】
本発明は、電源装置に関する。
【背景技術】
【０００２】
図５に示すように、従来の電源装置１００は、入力雑音防止装置１０１における、コンデンサＣ１、およびラインフィルタＬ１が、上流から下流に向かって上記記載の順に配置されていた（例えば、特許文献１参照）。なお、図５中の符号ＡＣは商用電源、ＬＣは位相制御調光器、ＤＢは全波整流器である。
【先行技術文献】
【特許文献】
【０００３】
【特許文献１】特開平５−１０９４９２号公報（図１、図６、段落０００７）
【発明の概要】
【発明が解決しようとする課題】
【０００４】
しかしながら、従来の電源装置１００は、位相制御を行う場合、特に、位相角９０°においては、図６（Ａ）に示すように、商用電源の毎サイクルの度に、電源電圧が急激に立ち上がる。このため、図６（Ｂ）に示すように、コンデンサＣ１へ過大なパルス電流が流れ、これにより、コンデンサＣ１の寿命が短くなり、ひいては電源装置１００の寿命が短くなる虞があった。
なお、コンデンサＣ１に流れるパルス電流と、許容回数との関係は、次式によって表される。
Ｐ２＝Ｐ１×（Ｌ１／Ｌ２）ｎ
但し、Ｐ１:試験回数、Ｐ２：許容回数（寿命回数）、Ｌ１：試験パルス電流、Ｌ２：印加パルス電流、ｎ：パルス電流加速係数
【０００５】
本発明は、寿命を大幅に伸ばすことが可能な電源装置を提供することにある。
【課題を解決するための手段】
【０００６】
本発明の電源装置は、入力雑音防止回路のラインフィルタおよびコンデンサを、上流から下流に向かってラインフィルタ、コンデンサの順に接続した。
【０００７】
また、本発明の電源装置は、入力雑音防止回路の構成要素として、ラインフィルタまたはインダクタンスを用いるとともに、コンデンサを省略した。
【発明の効果】
【０００８】
本発明によれば、電流を減少させる減流作用のあるラインフィルタとコンデンサとを、上流から下流に向かって、ラインフィルタ、コンデンサの順に接続したことにより、商業電源のサイクル毎にコンデンサに印加されるパルス電流が、ラインフィルタによって減少されるため、コンデンサの寿命を大幅に伸ばし、電源装置の寿命を大幅に伸ばすことが可能になる。
【０００９】
また、本発明によれば、寿命を短くする要因となるコンデンサを省略することにより、電源装置の寿命を大幅に伸ばすことが可能になる。
【図面の簡単な説明】
【００１０】
【図１】本発明に係る第１実施形態の電源装置の回路図
【図２】第１実施形態の電圧と電流との関係を示す図
【図３】本発明に係る第２実施形態の電源装置の回路図
【図４】本発明に係る第２実施形態の変形例の電源装置の回路図
【図５】従来例に係る電源装置の回路図
【図６】従来例に係る電源装置の電圧と電流との関係を示す図
【発明を実施するための形態】
【００１１】
以下、本発明に係る実施形態の電源装置について、図面を参照して説明する。
（第１実施形態）
図１は、第１実施形態の電源装置１０の回路図を示す。この電源装置１０は、商用電源ＡＣに接続された位相制御回路ＬＣと、入力雑音防止回路１１とを有している。
なお、入力雑音防止回路１１より下流における構成要素については、従来と同様のものを使用できるので、図示及び説明を省略する。
【００１２】
入力雑音防止回路１１は、位相制御調光器ＬＣに接続され、かつ電流を減少させる減流作用のあるラインフィルタＬ１と、ラインフィルタＬ１に接続されたコンデンサＣ１と、コンデンサＣ１に接続された全波整流器ＤＢとを有している。ラインフィルタＬ１とコンデンサＣ１とは、上流から下流に向かって上記の記載の順に接続されている。コンデンサＣ１は、フィルムコンデンサ等を使用できる。
【００１３】
この電源装置１０は、位相制御調光器ＬＣによって位相制御を行う場合、特に、位相角９０度においては、図２（Ａ）に示すように、商用電源ＡＣの毎サイクルの度に、電源電圧が急激に立ち上がる。しかし、ラインフィルタＬ１には、電流を減少させる減流作用があるため、コンデンサＣ１へ流れるパルス電流は、図２（Ｂ）に示すように、減少される。これにより、コンデンサＣ１の寿命が大幅に長くなり、ひいては電源装置１０の寿命が大幅に長くなる。
【００１４】
（第２実施形態）
図３は、本発明に係る第２実施形態の電源装置２０を示す。
なお、以下の説明においては、第１実施形態と同様の部分には同一の符号をつけて、詳細な説明を省略する。
この電源装置２０は、第１実施形態の電源装置１０における入力雑音防止回路２１のコンデンサＣ１が省略されたものである。すなわち、電源装置２０の入力雑音防止回路２１においては、位相制御調光器ＬＣにラインフィルタＬ１が接続され、ラインフィルタＬ１に全波整流器ＤＢが接続されている。
なお、ラインフィルタＬ１に代えて、インダクタンス（ドラムチョーク等）を用いることができる。
【００１５】
この電源装置２０は、電源装置の寿命が短くなる要因となるコンデンサＣ１が省略されているため、寿命を大幅に長くできる。
【００１６】
（第２実施形態の変形例）
図４は、本発明に係る第２実施形態の変形例の電源装置３０を示す。この電源装置３０も、上記の電源装置２０と同様に、入力雑音防止回路３１において、電源装置の寿命を短くする要因となるコンデンサが省略されているので、寿命を大幅に長くできる。
【符号の説明】
【００１７】
１０  電源装置
１１  入力雑音防止回路
２０  電源装置
２１  入力雑音防止回路
３０  電源装置
３１  入力雑音防止回路
１００  電源装置
１０１  入力雑音防止回路
ＡＣ  商業電源
Ｃ１  コンデンサ
ＤＢ  全波整流器
Ｌ１  ラインフィルタ
ＬＣ  位相制御調光器
【図１】
2012135084.tif 000003
【図２】
2012135084.tif 000004
【図３】
2012135084.tif 000005
【図４】
2012135084.tif 000006
【図５】
2012135084.tif 000007
【図６】
2012135084.tif 000008
(57)【要約】      （修正有）【課題】転がる形状である人体の頭部を静止させ頸部の脱力が可能になる構造で、多様な形状がある人体頭部に広い範囲で対応でき、且つ寝返り等で起きる頭部角度の変化に広い範囲で対応出来るようにする。【解決手段】容易に変形可能な素材で作成した二本の細長いクッション材１を、二点で結束又は結合させ、二点間のクッション部分を広げ全体としてドーナツ形状になるよう変形させた枕で、概ね球形に近い人体の頭部を、下方周囲三点以上の方向から支えることで静止させ、頸部の脱力が可能になる構造とする。また多様な形状がある人体頭部や、寝返り等で人体頭部の角度が変化することに対して、枕のドーナツ穴形状と頭部の外側形状が合うように、クッション材１の広げ度合を調節することにより適応させ、頭部を静止させ頸部の脱力を可能にする。【選択図】図２
2012135633.tif 000002
【特許請求の範囲】
【請求項１】
二本の細長いクッション材を二点で結束又は結合させた様態で、結束又は結合された二点間のクッション材を容易に変形させることが出来ることを特徴とする枕。
【発明の詳細な説明】
【技術分野】
【０００１】
本発明は、枕に関するものである。
【背景技術】
【０００２】
人体の頭部及び頸部は、概ね球形又は円筒形の転がる形状といえる。転がる物体を静止させるためには、球形でも円筒形でも三点以上の方向から支える必要がある。人体頭部に単一面の枕を使用すると、頭部重量による枕素材の沈み込みによって、横からの支えは発生するが微弱であり、頭部を静止状態にするには不十分であった。
【０００３】
精度の高い球形や円筒形の転がる物体を静止させるためならば、物体サイズ変化をある程度許容出来る支持器具の設計は容易といえる。タイヤラックなどが例である。
【０００４】
歪な形状の転がる物体を静止させるために、専用の支持材を設計すると、物体サイズの変化や物体角度の変化を許容出来ない。家電製品の発砲スチロール梱包材などが例である。
【０００５】
人体頭部を立体的に複数面から支持する就寝用の枕が存在する。使用者の頭部や頸部と枕形状が合致していると頭部や頸部を静止させることが出来る。しかし人体頭部及び頸部は個人ごとに形状が異なり、同一者の使用においても寝返り等で頭部や頸部の枕へ接する形状が変化するため、容易に頭部や頸部と枕形状の不一致が起こり、頭部や頸部の静止を維持出来なくなる。
【０００６】
形状に個人差はあるが、概ね球形に近い人体の頭部を複数方向から支え、静止状態を作れる枕としてドーナツ型枕が存在する。しかし三点方向から頭部を支え、頭部を静止させることの出来る頭部形状の許容範囲は、ドーナツ型枕の形状に拘束される。
【先行技術文献】
【特許文献】
【０００７】
【特許文献１】登録実用新案３１００１０６号公報
【特許文献２】特開２００２−１７７１１６号公報
【特許文献３】特開２０１０−１４８８７１号公報
【特許文献４】特開２００６−０２６３５５号公報
【発明の概要】
【発明が解決しようとする課題】
【０００８】
解決しようとする問題点は、転がる形状である人体の頭部を静止させ頸部の脱力が可能になる構造の枕にする点、多様な形状がある人体頭部に広い範囲で対応出来る枕にする点、及び寝返り等で起きる頭部角度の変化に広い範囲で対応出来る枕にする点である。
【課題を解決するための手段】
【０００９】
本発明は、容易に変形可能な素材で細長いクッション材を作成し、二本の細長いクッション材を二点で結束又は結合させる。結束又は結合された二点間のクッション部分を広げ、全体としてドーナツ形状になるよう変形させる。ここで形成されるドーナツ穴の内径は、クッション材の広げ度合により変化する。以上が枕の一般的な外観である。枕に人体頭部を乗せ、枕のドーナツ穴形状と頭部外側形状が合うようにクッション材の広げ度合を調節する。頭部の形状が変化した場合、枕のドーナツ穴形状と頭部外側形状が合うようにクッション材の広げ度合を再度調節する。
【発明の効果】
【００１０】
本発明は、概ね球形に近い人体の頭部を、ドーナツ型の枕を使うことで下方周囲三点以上の方向から支え静止させることができ、頸部の脱力を可能にする。
【００１１】
本発明は、枕のドーナツ穴形状を変更可能な枕にすることで、三方向から支えられる人体頭部形状の範囲を広げることが出来る。
【発明を実施するための形態】
【００１２】
図１は、変形可能な素材で作られた二本の細長いクッション材を、二点で結束又は結合させた状態である。
【００１３】
図２は、結束又は結合された二点間のクッション部分を広げ、全体としてドーナツ形状になるよう変形させた状態である。
【実施例１】
【００１４】
図３は、枕に人体頭部を乗せ、枕のドーナツ穴形状と頭部の外側形状が合うようにクッション材の広げ度合を調節した状態である。
【実施例２】
【００１５】
図４は、枕に人体頭部と頸部を同時に乗せ、枕のドーナツ穴形状と頭部の外側形状が合うようにクッション材の広げ度合を調節した状態である。
【実施例３】
【００１６】
図５は、寝返り等の動作での頭部形状変化に対し、枕のドーナツ穴形状と頭部の外側形状が合うようにクッション材の広げ度合を再度調節した状態である。
【産業上の利用可能性】
【００１７】
就寝用枕の他、果物から工業生産物まで転がる物体全てを静止させるために適用できる。
【図面の簡単な説明】
【００１８】
【図１】枕の代表した構造を示した図面代用写真である。
【図２】枕の代表した変形状態を示した図面代用写真である。
【図３】枕を人体頭部に使用した例を示した図面代用写真である。
【図４】枕を人体頭部に使用した例を示した図面代用写真である。
【図５】枕を人体頭部に使用した例を示した図面代用写真である。
【符号の説明】
【００１９】
１    クッション材
２    結束又は結合点
３    人体頭部
４    人体頸部
【図１】
2012135633.tif 000003
【図２】
2012135633.tif 000004
【図３】
2012135633.tif 000005
【図４】
2012135633.tif 000006
【図５】
2012135633.tif 000007
(57)【要約】【課題】人に対して極めて高いリラックス効果を付与することができるリラックス音及びその作成方法を提供する。【解決手段】録音した心音データのリズムを測定し、再生速度変換を行い拍数を５８ｂｐｍとする工程、心音データの可聴域の１分間分をＦＦＴ（高速フーリエ変換）にかけ、１０２４レベルに分割したときに、パワースペクトルが最もレベル（ｄｂ）の高い部分の周波数を計測する工程、次いでこれをピッチ変換し、前記周波数の最高値を１０４Ｈｚに合わせる工程からリラックス音を作成する。【選択図】  図２
2012135372.tif 000002
【特許請求の範囲】
【請求項１】
録音した人の心音を基に、拍数リズムと音程（ピッチ）を変更したことを特徴とするリラックス音。
【請求項２】
拍数リズムが５８ｂｐｍで、周波数パワースペクトルの最大値が１０４Ｈｚであることを特徴とする請求項１記載のリラックス音。
【請求項３】
録音した心音データのリズムを測定し、再生速度変換を行い拍数を５８ｂｐｍとする工程、心音データの可聴域の１分間分をＦＦＴ（高速フーリエ変換）し、１０２４レベルに分割したときに、積分平均したパワースペクトルが最もレベル（ｄｂ）の高い部分の周波数を計測する工程、次いでこれをピッチ変換し、前記周波数の最高値を１０４Ｈｚに合わせる工程からなることを特徴とするリラックス音の作成方法。
【発明の詳細な説明】
【技術分野】
【０００１】
本発明は、使用者の心音を利用したリラックス効果を付与する音及びその作成方法に関するものである。
【背景技術】
【０００２】
人は、１／ｆのゆらぎを持つ音を聴くことでリラックス感を覚えることが広く知られている。従来、例えば、音楽を聴くことによるリラックス効果を増進するための音響装置（特許文献１参照。）が提案されている。一方、医療分野においては、血圧測定に際して、心拍数を測定し、心拍数が安静時に近い場合に血圧測定を行い、心拍数が高い場合は、心拍数が自然と減少する方向にある時または事前に設定した心拍数まで自然に減少した時に血圧測定を開始する血圧計（特許文献２参照。）や患者の複数の呼吸音を記録し、この記録した呼吸音から選択された呼吸速度測定値をもって推定される呼吸速度をモニタリングする方法及び装置（特許文献３参照）。健康管理のために時間生物学的リズムの一つである心拍数を監視し、健康状態に応じて療法を呼び出すシステム（特許文献４参照。）等が提案されている。
【先行技術文献】
【特許文献】
【０００３】
【特許文献１】特開平７−５９８５８号公報
【特許文献２】特開２００７−１２５３３６号公報
【特許文献３】特表２００７−５３２１５６号公報
【特許文献４】特表２００５−５０７２６４号公報
【特許文献５】特表２００８−５４１７６５号公報
【発明の概要】
【発明が解決しようとする課題】
【０００４】
上記従来技術で開示されているように、人の心拍数に基づいて健康管理するといった医療分野での利用方法は公知であるが、心音を基にした音響の刺激として付与するといった先行技術は見当たらない。人の心音は、前述の１／ｆのゆらぎを多く含んでいる音である。本発明者らは、心音の人に対するリラックス効果を鋭意研究した結果、心音を生音の状態で聴取しても顕著な効果は発現しないことを知得し、本発明をするに至った。本発明は、以上のような従来技術の課題に鑑み、人に対して極めて高いリラックス効果を付与することができるリラックス音及びその作成方法を提供することを目的とするものである。
【課題を解決するための手段】
【０００５】
このため本発明のリラックス音は、録音した人の心音を基に、拍数リズムと音程（ピッチ）を変更したことを第１の特徴とし、拍数リズムが５８ｂｐｍで、周波数パワースペクトルの最大値が１０４Ｈｚであることを第２の特徴とし、その作成方法を、録音した心音データのリズムを測定し、再生速度変換を行い拍数を５８ｂｐｍとする工程、心音データの可聴域の１分間分をＦＦＴ（高速フーリエ変換）にかけ、１０２４レベルに分割したときに、パワースペクトルが最もレベル（ｄｂ）の高い部分の周波数を計測する工程、次いでこれをピッチ変換し、前記周波数の最高値を１０４Ｈｚに合わせる工程からなることを第３の特徴とする。
【発明の効果】
【０００６】
本発明によれば、人をリラックスさせるための正確な拍数リズムと好ましい音程をもった音を作成することができる。
【図面の簡単な説明】
【０００７】
【図１】本発明に係るリラックス音のリズムと周波数のサンプル音の分布を示すグラフである。
【図２】図１のグラフ中、５８ｂｐｍ周辺領域を拡大して示すグラフである。
【図３】ピッチ変換によるパワースペクトル分布を示すグラフである。
【発明を実施するための形態】
【０００８】
以下、本発明の実施の形態を説明する。
リー・ソーク博士が報告した、人が安心できる音の上限である７２ｂｐｍ（拍数／分）に基づき、リズムと音程（ピッチ）を変更した９個のサンプル音を数十名の被験者に聴取させた。リズムは７２ｂｐｍ（拍数／分）の１／１０である７．２ｂｐｍを基準として変更。（リズムの数値は近似の整数とした。）これを下記の速度ピッチ変換計算式により基準音と同一のピッチに変換したものを利用した。そのサンプル音のリズムと周波数の分布を図１のグラフに示す。
【０００９】
【数１】
2012135372.tif 000003
【００１０】
アンケートの結果より最もリラックス感を感じた音として、リズムが５８ｂｐｍで、周波数パワースペクトルの最大値が１０４Ｈｚの音が最も効果が高いことが分かった。そこで、本発明では、この心音を基準音とし、基準音の周辺に均等に８個のサンプル音を作成した（図２のグラフ参照。）
【００１１】
以下、本発明に係るリラックス音の作成方法を示す。
（１）録音によって提供されたデータの心音リズムを測定し、再生速度変換を行い拍数を５８ｂｐｍとする。
（２）データの可聴域の１分間分をＦＦＴ（高速フーリエ変換）し、１０２４レベルに分割したときに、パワースペクトルが最もレベル（ｄｂ）の高い部分の周波数を計測する。
（３）これをピッチ変換し、前記周波数の最高値を１０４Ｈｚに合わせる。
以上の工程により作成された音を基準音とし、これを元に聴取者の嗜好に応じて、リズムとピッチを調整することにより最もリラックスできる音や音楽を作成することができる。尚、リズムの変更尺度は５８ｂｐｍの１／１０である５．８ｂｐｍ単位とし、少数点以下は四捨五入して設定する。
【図１】
2012135372.tif 000004
【図２】
2012135372.tif 000005
【図３】
2012135372.tif 000006
(57)【要約】【課題】  鉄骨鉄筋コンクリート造構造物等の構造物における柱部分は、基礎に対して埋設状態に設けたアンカーボルトに対して柱ユニットをボルト締めして固定されている。このような工法においては、基礎の養生の際に、施工中の振動、誤差等によって、アンカーボルトが本来設置されるべき設計上の位置である基準位置から偏芯してしまうことは、一般的な工法においては避けがたい。【解決手段】  より大きな許容範囲でアンカーボルトの位置ずれを吸収し得るようにすることで、アンカーボルトが基準位置から偏芯した場合であっても柱を所望の位置に効果的に固定することができ、且つアンカーボルトの強度低下を伴うことがない、新規なアンカーボルトの固定用座金を用いたアンカーボルトの固定具を提供する【選択図】  図１
2012167523.tif 000002
【特許請求の範囲】
【請求項１】
ベースプレートの円孔内に遊嵌可能な外周面を有するとともに、偏心位置にアンカーボルトよりも大径の嵌合孔を有する大偏心円板と、前記大偏心板の前記嵌合孔内に遊嵌可能であり、偏心位置に前記アンカーボルトを貫通させる貫通孔を有した小偏心円板とから成るアンカーボルトの固定具。
【請求項２】
大偏心板の嵌合孔は当該大偏心板の半径よりも大きく、前記大偏心板に形成された嵌合孔は外周に開口したアンカーボルトの直径よりも大きな開口部を有し、小偏心板はアンカーボルトの直径よりもやや大きい長孔であってかつアンカーボルトに装着した際にアンカーボルトの外周が小偏心板の外周とほぼ同一となるように形成して成るアンカーボルトの固定具。
【発明の詳細な説明】
【技術分野】
【０００１】
本発明は構造物の基礎におけるアンカーボルトと、柱と一体に形成されたベースプレートとの接続構造に関するものであり、特に基準位置から偏芯した状態に施工されたアンカーボルトであっても、位置修正のための曲げ等を要さずにアンカーボルトと柱ユニットとの接続を行うことのできる、アンカーボルトの固定用具に係るものである。
【背景技術】
【０００２】
鉄骨造、鉄骨鉄筋コンクリート造構造物等の構造物における柱部分は、基礎に対して埋設状態に設けたアンカーボルトに対して柱ユニットをボルト締めして固定されている。このような工法においては、基礎の養生の際に、施工中の振動、誤差等によって、アンカーボルトが本来設置されるべき設計上の位置である基準位置から偏芯してしまうことは、一般的な工法においては避けがたいのが実状である。
【先行技術文献】
【特許文献】
【０００３】
【特許文献１】）  特許第３４０１６３４号公報
【特許文献２】）  特開２００７−２９１７６０号公報
【発明の概要】
【発明が解決しようとする課題】
【０００４】
本発明はこのような背景の下になされたものであって、より大きな許容範囲でアンカーボルトの位置ずれを吸収し得るようにすることで、アンカーボルトが基準位置から偏芯した場合であっても柱を所望の位置に効果的に固定することができ、且つアンカーボルトの強度低下を伴うことがない、新規なアンカーボルトの固定用座金を用いたアンカーボルトの固定具を提供するものである。
【課題を解決するための手段】
【０００５】
すなわち請求項１記載のアンカーボルトの固定具は、ベースプレートの円孔内に遊嵌可能な外周面を有するとともに、偏心位置にアンカーボルトよりも大径の嵌合孔を有する大偏心円板と、前記大偏心板の前記嵌合孔内に配置可能であり、偏心位置に前記アンカーボルトを貫通させる貫通孔を有した小偏心円板とから成るものである。
【０００６】
また請求項２に記載のアンカーボルト固定具は、大偏心板の嵌合孔は当該大偏心板の半径よりも大きく、前記大偏心板に形成された嵌合孔は外周に開口したアンカーボルトの直径よりも大きな開口部を有し、小偏心板はアンカーボルトの直径よりもやや大きい長孔であってかつアンカーボルトに装着した際にアンカーボルトの外周が小偏心板の外周とほぼ同一となるように形成して成るものである。
【発明の効果】
【０００７】
本発明によれば、アンカーボルトが偏芯した位置に埋設されている場合であっても柱等の構造物を所望の位置に固定することができ、且つアンカーボルトの強度低下を伴うことがない、新規なアンカーボルトの固定具を提供することができる。さらに、アンカーボルトにナットを装着したままで作業を完了できるので、いちいちナットを取り外して従来の偏心吸収用座金を取り付ける手間が省け、作業が迅速に行われ、工期短縮等の効果がある。
【図面の簡単な説明】
【０００８】
【図１】使用状態を示す斜視図
【図２】アンカーボルトがほぼ中心に位置した場合の配置図
【図３】アンカーボルトが最大にずれた位置の場合の配置図
【図４】アンカーボルトが任意の位置の場合の配置図
【実施例】
【０００９】
本発明のアンカー固定具はベースプレート５とほぼ同等の厚みを有する２個のパーツで構成される。１つは、外周面の任意の点に接するアンカーボルト６の直径よりもやや大き目の孔Ｈ１が穿設された小偏心円板２であって、円孔Ｈ１と小偏心円板２の中心を結ぶ線と平行でかつ孔Ｈ１に接する線で切り欠いたＵ字状長孔Ｈ９を有している。別の１つは、ベースプレート５の円孔Ｈ２内に遊嵌可能な外周面を有する大偏心円板１であって、該大偏心円板１の中心からアンカーボルト６の半径に相当する長さだけ離れた点を通りかつ前記小偏心円板２を遊嵌可能な円孔Ｈ４を配設し、該大偏心円板１の中心と円孔Ｈ４の中心とを結ぶ線に平行で円孔Ｈ４に接する線で切り欠いたＵ字状長孔Ｈ８を有している。
【００１０】
ベースプレート５は予め、大偏心円板１を遊嵌可能な大きさの円孔Ｈ２が穿設されている。柱７などの構造部材をアンカーボルト６が埋設された基礎４上に設置し、まず、大偏心円板１をベースプレートの円孔Ｈ２に遊嵌する。次いで、大偏心円板１のＵ字状長孔Ｈ８もしくは円孔４の内側にアンカーボルト６が接するように大偏心円板１を円孔Ｈ２内で回動させながら大偏心円板１を位置決めする。
【００１１】
次に、小偏心円板２を、アンカーボルト６をＵ字状長孔Ｈ６に沿わせて配設し、小偏心円板２を回動させて大偏心円板１のＵ字状長孔Ｈ８に嵌合する。この際に、大偏心円板１も小偏心円板２もＵ字状の長孔Ｈ８及びＨ９を有しており、アンカーボルト６のナット８を装着したままの状態で組み付け作業ができ、ナットの紛失や落下等のトラブルを回避しうる。
【００１２】
最後に、ベースプレート、大偏心円板１、小偏心円板２を溶接接合してナット８を締め付ければ完了である。
【産業上の利用可能性】
【００１３】
本発明は、主として建築構造物のアンカーボルトの位置調整用に考えたものであるが、位置調整を必要とする他の、例えばフランジ接合のボルト孔の位置ずれにも適用可能であり、類似の範囲での適用が可能である。
【符号の説明】
【００１４】
１  大偏心円板
２  小偏心円板
３  ナット
４  基礎
５  ベースプレート
６  アンカーボルト
７  柱
８  ナット
Ｈ１  円孔
Ｈ２  円孔
Ｈ３  円孔
Ｈ４  円孔
Ｈ８  Ｕ字状長孔
Ｈ９  Ｕ字状長孔
【図１】
2012167523.tif 000003
【図２】
2012167523.tif 000004
【図３】
2012167523.tif 000005
【図４】
2012167523.tif 000006